(57)【特許請求の範囲】
【請求項１】
主手すり部材と、
前記主手すり部材の一端に手すり部材連結具を介して連結された端末手すり部材と、
前記手すり部材連結具を支持する支柱と
を具備した手すりにおいて、
前記支柱には連結補助部材が装着され、
該連結補助部材は、
該支柱に接続される支柱接続部と、
該支柱接続部から、前記端末手すり部材の差し出し方向に突出した腕部と、
該腕部の先端に形成された端末手すり部材接続部と
を具備すると共に、
前記端末手すり部材は、長尺部材が屈曲及び／又は湾曲されてなる曲げ部材で構成され、該端末手すり部材の一端が前記手すり部材連結具に接続され、該端末手すり部材の他端が、前記連結補助部材の前記端末手すり部材接続部に接続されていることを特徴とする手すり。
【請求項２】
前記連結補助部材の前記支柱接続部は、前記支柱の立設方向に開口した貫通孔を備え、該貫通孔に前記支柱が挿通されることにより該支柱と接続され、
前記端末手すり部材接続部は、前記端末手すり部材の差し出し方向に沿って開口した挿入孔を備え、該挿入孔に前記端末手すり部材の他端が挿入されることにより該端末手すり部材と接続されている請求項１記載の手すり。
【発明の詳細な説明】
【技術分野】
【０００１】
本発明は、例えば水平な床面、階段又はスロープに取り付けられる手すりに関するものである。
【背景技術】
【０００２】
水平な床面、階段又はスロープ等に取り付けられる手すりは、公知である（例えば、特許文献１参照。）。例えば、階段に取り付けられた手すりを例に説明すると、該手すりは、階段の傾斜に沿って配設された傾斜手すり部材と、該傾斜手すり部材の上端（又は下端）に接続され、該階段等の最上位置（又は最下位置）にある床面に沿ってほぼ水平に差し出された端末手すり部材とを備え、該傾斜手すり部材と該端末手すり部材とは、床面から立ち上がる支柱によって支持されていることが一般的である。なお、前記の端末手すり部材は、階段等を利用する人の昇降動作を前記した最上位置（又は最下位置）で安定させるという点で非常に重要な役割を果たしている。
【０００３】
【特許文献１】特開２００３−１１９９８８号公報
【発明の開示】
【発明が解決しようとする課題】
【０００４】
しかしながら、特許文献１で示される構成は、端末手すり部材の先端を支持する支柱を備えているため、該支柱が階段利用者にとって邪魔になることがあるという問題、あるいは美観を損なうという問題がある。このため、該支柱を設けない構成も提案されうるが、仮に該支柱が設けられないと、該端末手すり部材は片持ち状で支持されることとなって強度が著しく低下してしまう。
かかる問題は、階段以外に取り付けられた手すりについても同様である。
【０００５】
そこで本発明は、端末手すり部材の先端を支持する支柱を要しないものであり、強度的に優れ、しかも施工の際にコスト高とならない手すりを提供することを目的とする。
【課題を解決するための手段】
【０００６】
本発明は、主手すり部材と、前記主手すり部材の一端に手すり部材連結具を介して連結された端末手すり部材と、前記手すり部材連結具を支持する支柱とを具備した手すりにおいて、前記支柱には連結補助部材が装着され、該連結補助部材は、該支柱に接続される支柱接続部と、該支柱接続部から、前記端末手すり部材の差し出し方向に突出した腕部と、該腕部の先端に形成された端末手すり部材接続部とを具備すると共に、前記端末手すり部材は、長尺部材が屈曲及び／又は湾曲されてなる曲げ部材で構成され、該端末手すり部材の一端が前記手すり部材連結具に接続され、該端末手すり部材の他端が、前記連結補助部材の前記端末手すり部材接続部に接続されていることを特徴とする手すりである。
【０００７】
本発明の端末手すり部材は、差し出されたその先端に支柱が設けられていないため、通行の邪魔にならないし、美観上も好ましい。また、該端末手すり部材は、曲げ部材で構成され、該曲げ部材の一端及び他端がともに前記支柱に接続されて固定されているため、利用者が該端末手すり部材に上から力を加えたとしても、安定かつ強固に該利用者を支持することができる。ここで、前記の端末手すり部材の他端は、別部材としての連結補助部材を介して支柱に固定されるため、該他端を該支柱に溶接等で直接固定する必要がない。したがって、組み立てに要する時間や手間が省け、施工にかかるコストを低減できる。なお、本発明の手すりの端末は、端末手すり部材の屈曲及び／又は湾曲部分によって構成されるため、利用者の袖が引っ掛かりにくい。
【０００８】
また、前記連結補助部材の前記支柱接続部は、前記支柱の立設方向に開口した貫通孔を備え、該貫通孔に前記支柱が挿通されることにより該支柱と接続され、前記端末手すり部材接続部は、前記端末手すり部材の差し出し方向に沿って開口した挿入孔を備え、該挿入孔に前記端末手すり部材の他端が挿入されることにより該端末手すり部材と接続されている構成が提案される。
【０００９】
かかる構成にあっては、差し出された端末手すり部材に対して上から力が作用しても、端末手すり部材接続部の挿入孔内周面が該端末手すり部材の他端を支持するため、上からの力に対して十分な強度が確保される。
【発明の効果】
【００１０】
本発明は、差し出された端末手すり部材の先端に支柱が設けられていないため、利用者の邪魔になりにくい利点がある。また、美観上好ましいという利点もある。また、端末手すり部材が、支柱に対してその一端と他端とで固定されているため、強度が高い利点もある。
【発明を実施するための最良の形態】
【００１１】
本発明に係る手すり１を、添付図面に従って、説明する。
図１に示すように、該手すり１は、階段Ｓの側部に設けられている。なお、図１は、該階段Ｓの最下位置に配された手すり１の下端側の端末の外観を示している。
【００１２】
前記手すり１は、前記階段Ｓの傾斜に沿って配設された傾斜手すり部材（主手すり部材）２を備えている。該傾斜手すり部材２は、丸棒状の長尺部材で構成される。
【００１３】
また、前記傾斜手すり部材２の下端（一端）２ａには、手すり部材連結具５を介して、端末手すり部材３の基端３ａが接続されている。さらに詳述すると、図２に示すように、前記手すり部材連結具５は、回動部５ｃを中心にして上側ソケット５ａと下側ソケット５ｂとを備えている。該上側ソケット５ａ又は下側ソケット５ｂは、回動部５ｃの機能により、相対的に回動させることできる。そして、該上側ソケット５ａには、前記傾斜手すり部材２の下端２ａが挿入されて、図示しないビス等の固定手段により固定されている。また、該下側ソケット５ｂには、前記端末手すり部材３の基端３ａが挿入されて、図示しないビス等の固定手段により固定されている。かかる構成により、該手すり部材連結具５は、傾斜手すり部材２と端末手すり部材３とを連結する機能を備えると共に、該端末手すり部材３に対して該傾斜手すり部材２の傾斜角度を変更可能とする機能も備えている。
【００１４】
前記端末手すり部材３は、丸筒状の長尺部材がＵ字状に湾曲されてなる曲げ部材３Ａで構成され、湾曲部分３ｃを先端１１側として、該階段Ｓの最下位置にある水平な床面Ｆに沿って差し出されており、当該手すり１の端末を構成している。そして、上述のように、上側の基端３ａは、手すり部材連結具５を介して傾斜手すり部材２の下端２ａに接続され、下側の末端３ｂは、支柱４に固定されている。なお、下側の末端３ｂの固定態様については、後で詳述する。
【００１５】
また、前記手すり部材連結具５は、その下部に設けられた回動部材７を介して、支柱４で支持されている。該回動部材７は、該手すり部材連結具５を支柱４に対して傾動させる機能を備えている。
【００１６】
また、該支柱４は、前記床面Ｆに鉛直向きに立設され、該支柱４の上部は、鉛直方向に沿って伸縮可能とされた伸縮部４ａ（図２参照）を備えている。該伸縮部４ａの伸縮機構は、公知技術が好適に採用されうる。さらに、該伸縮部４ａには、連結補助部材１０が装着されている。該連結補助部材１０は、本発明の要部に係るため、後で詳述する。
【００１７】
なお、上述した手すり部材連結具５、及び回動部材７の回動機構、並びに、伸縮部４ａの伸縮機構は、公知技術が好適に採用されるものであり、詳細な説明は省略する。
【００１８】
次に、本発明の要部に係る連結補助部材１０について説明する。
該連結補助部材１０は、図３〜図５に示されるように、支柱接続部１０Ａと、端末手すり部材接続部１０Ｂと、該支柱接続部１０Ａ及び該端末手すり部材接続部１０Ｂを繋ぐ腕部１０Ｃとを具備し、側面視略Ｌ字状の単体部材である。
【００１９】
前記支柱接続部１０Ａは、図３，５に示すように、鉛直方向に沿って貫通状に開口した貫通孔１２を備え、円筒形状をしている。該貫通孔１２は正面視略楕円形とされ、その寸法形状は、前記支柱４の伸縮部４ａの寸法形状に対応して設定されている。
【００２０】
また、前記支柱接続部１０Ａの側部からは、腕部１０Ｃが下方に突き出され、該腕部１０Ｃの先端には、端末手すり部材接続部１０Ｂが形成されている。
【００２１】
該端末手すり部材接続部１０Ｂは、図３，４に示すように、外向きに開口した正面視円形の挿入孔１３を備えている。該挿入孔１３は、孔の深さ方向が水平向きとされ、該挿入孔１３の内底面に設けられた環状の周壁１４により、中央空部１５と外周空部１６とに区画されている。該挿入孔１３の寸法、並びに、中央空部１５及び外周空部１６の寸法、さらに周壁１４の壁高さは、前記端末手すり部材３の末端３ｂの外径・形状に対応してそれぞれ設定されている。
【００２２】
かかる構成にあって、図２，３に示すように、前記連結補助部材１０は、前記貫通孔１２が前記伸縮部４ａに挿通されてビスｋにより固定されている。さらに、前記挿入孔１３に端末手すり部材３の末端３ｂが挿入されてビスｋにより固定されている。なお、前記端末手すり部材接続部１０Ｂにあっては、該端末手すり部材３の末端３ｂが前記周壁１４に沿って挿入され、その端縁が外周空部１６に収められて構成されている。
これにより、該端末手すり部材３は、上縁を水平としつつ、上側の基端３ａ（一端）及び下側の末端３ｂ（他端）がともに前記支柱４に接続されて固定されることとなるため、階段利用者が該端末手すり部材３に上から剪断方向の力を加えたとしても、安定かつ強固に階段利用者を支持することができる。
【００２３】
次に、該手すり１の組み立て手順を説明する。
まず、支柱４単体を床面Ｆに立設し、該支柱４の伸縮部４ａに、連結補助部材１０の支柱接続部１０Ａを挿入し、該伸縮部４ａの上端開口部に、前記回動部材７の基端を挿入する。このとき、該連結補助部材１０にあっては、腕部１０Ｃが端末手すり部材３の差し出し方向に突出するように向きを定める。そして、該連結補助部材１０と該伸縮部４ａと該回動部材７を、ビスｋで止める。さらに、該回動部材７の上端に手すり部材連結具５を配設する。
【００２４】
次に、該手すり部材連結具５の上側ソケット５ａに、傾斜手すり部材２の下端２ａを接続する。また、下側ソケット５ｂに、端末手すり部材３の上側の基端３ａを固定すると共に、下側の末端３ｂを、該連結補助部材１０の端末手すり部材接続部１０Ｂに挿入してビスｋ止めし、接続する。なお、これまでに述べた手順にあっては、適宜、支柱４の高さ、傾斜手すり部材２の傾斜角度、端末手すり部材３の傾斜角度を微調整して行うことができる。
【００２５】
上記組み立て手順により組み立てられた手すり１は、差し出されたその先端１１に支柱が設けられていないため、階段Ｓを利用する際に邪魔にならないし、美観上も好ましい。また、端末手すり部材３の末端３ｂは、別部材としての連結補助部材１０を介して支柱４に固定されるため、該末端３ｂを該支柱４に溶接等で直接固定する必要がない。したがって、組み立てに要する時間や手間が省け、施工にかかるコストを低減できる。さらに、ほぼ水平に差し出された端末手すり部材３に対して上から力が作用しても、端末手すり部材接続部１０Ｂの挿入孔１３内周面が該端末手すり部材３の末端３ｂを支持するため、上からの力に対して十分な強度が確保される。また、前記先端１１は、湾曲されているため、階段利用者の袖が引っ掛かりにくい。
【００２６】
ところで、別の形態が提案される。
図８ａに示すように、ほぼ直角に折り曲げられた屈曲部を備えた端末手すり部材２３としてもよい。また、図８ｂに示すように、湾曲部と、鋭角に折り曲げられた屈曲部とが組み合わされた端末手すり部材３３であってもよい。
【００２７】
なお、前記端末手すり部材３，２３，３３における、支柱４の中心軸線αから先端１１までの手すり差し出し長さＬは、１５０ｍｍ〜３００ｍｍであることが望ましい。かかる範囲であると、強度の安定した手すり１とすることができる。
【００２８】
なお、これまでに述べた実施例は、階段Ｓの最下位置における手すり１の下端側の端末を示しているが、勿論、階段Ｓの最上位置における上端側の端末にも適用可能である。また、前記支柱４は、階段等の側部にある壁面から鉛直上向きに起立したものであってもよい。また、本発明の手すり１は、階段用に限定されず、水平な床用、スロープ用にも適用できる。
【図面の簡単な説明】
【００２９】
【図１】手すり１の外観斜視図である。
【図２】手すり１の部分側面図である。
【図３】手すり１の断面側面図である。
【図４】連結補助部材１０の側面図である。
【図５】連結補助部材１０の断面図である。
【図６】連結補助部材１０の正面図である。
【図７】連結補助部材１０の平面図である。
【図８】他の形態の端末手すり部材２３，３３である。
【符号の説明】
【００３０】
１              手すり
２              傾斜手すり部材（主手すり部材）
２ａ            傾斜手すり部材の下端
３，２３，３３  端末手すり部材
３Ａ            曲げ部材
３ａ            端末手すり部材の基端（一端）
３ｂ            端末手すり部材の末端（他端）
４              支柱
５              手すり部材連結具
１０            連結補助部材
１０Ａ          支柱接続部
１０Ｂ          端末手すり部材接続部
１０Ｃ          腕部
１１            手すりの先端
１２            貫通孔
１３            挿入孔
【図１】
0005036627.tif 000002
【図２】
0005036627.tif 000003
【図３】
0005036627.tif 000004
【図４】
0005036627.tif 000005
【図５】
0005036627.tif 000006
【図６】
0005036627.tif 000007
【図７】
0005036627.tif 000008
【図８】
0005036627.tif 000009